(57)【要約】  移動端末のユーザ情報交換の方法、装置及び端末であって、当該方法は、第２の移動端末がワイヤレスフィデリティｗｉｆｉ検索により、第１の移動端末のｗｉｆｉホットスポットの共有名を得ることと、前記第２の移動端末が前記第１の移動端末のｗｉｆｉホットスポットの共有名を解析することにより、第１の移動端末のユーザ情報を得ることと、前記第１の移動端末のユーザ情報を保存することとを含む。本発明の実施例はｗｉｆｉホットスポットを起動することにより、ｗｉｆｉホットスポットの名称に基づいて連絡先情報を追加する操作を行い、ユーザが情報を入力するステップを省略し、ユーザに利便性をもたらし、時間を節約する。【選択図】図１
2016519878.tif 000002
【特許請求の範囲】
【請求項１】
第２の移動端末がワイヤレスフィデリティｗｉｆｉ検索により、第１の移動端末のｗｉｆｉホットスポットの共有名を得ることと、
前記第２の移動端末が前記第１の移動端末のｗｉｆｉホットスポットの共有名を解析することにより、第１の移動端末のユーザ情報を得ることと、
前記第１の移動端末のユーザ情報を保存することと、を含む移動端末のユーザ情報交換の方法。
【請求項２】
前記第２の移動端末が前記第１の移動端末のｗｉｆｉホットスポットの共有名を解析することにより、第１の移動端末のユーザ情報を得るステップは、
前記第２の移動端末が前記第１の移動端末のｗｉｆｉホットスポットの共有名を解析することにより、解析したｗｉｆｉホットスポットの共有名がプリセットの標準フォーマットと合致するｗｉｆｉホットスポットの共有名であるかどうかを判断することと、
解析したｗｉｆｉホットスポットの共有名がプリセットの標準フォーマットと合致するｗｉｆｉホットスポットの共有名であれば、前記ｗｉｆｉホットスポットの共有名から前記第１の移動端末のユーザ情報を取得することと、を含む請求項１に記載の方法。
【請求項３】
前記第１の移動端末のユーザ情報を保存するステップは、
前記第２の移動端末が、得られた第１の移動端末のユーザ情報と前記第２の移動端末におけるすべてのユーザ情報とを比較することと、
前記第２の移動端末に前記第１の移動端末のユーザ情報がなければ、前記第１の移動端末のユーザ情報を前記第２の移動端末のユーザ情報に保存することと、を含む請求項２に記載の方法。
【請求項４】
情報を送信するための第１の移動端末がそのユーザ情報をそのワイヤレスフィデリティｗｉｆｉホットスポットの共有名に設定し、そのｗｉｆｉホットスポット共有機能を起動することを含む移動端末のユーザ情報交換の方法。
【請求項５】
前記情報を送信するための第１の移動端末がそのユーザ情報をそのｗｉｆｉホットスポットの共有名に設定するステップは、
前記情報を送信するための第１の移動端末がその元のｗｉｆｉホットスポットの共有名を保存し、且つユーザ情報をプリセットの標準フォーマットに応じてそのｗｉｆｉホットスポットの共有名に設定することを含み、
前記プリセットの標準フォーマットが、特殊文字＋ユーザ名＋特殊文字＋移動端末番号である請求項４に記載の方法。
【請求項６】
ｗｉｆｉ検索により、第１の移動端末のワイヤレスフィデリティｗｉｆｉホットスポットの共有名を得るように設定される移動端末検索モジュール、
前記第１の移動端末のｗｉｆｉホットスポットの共有名を解析することにより、前記第１の移動端末のユーザ情報を得るように設定される移動端末解析モジュール、
前記第１の移動端末のユーザ情報を保存するように設定される移動端末記憶モジュール、を備える移動端末のユーザ情報交換の装置。
【請求項７】
前記移動端末解析モジュールは、
前記第１の移動端末のｗｉｆｉホットスポットの共有名を解析することにより、解析したｗｉｆｉホットスポットの共有名がプリセットの標準フォーマットと合致するｗｉｆｉホットスポットの共有名であるかどうかを判断するように設定される判断ユニット、
解析したｗｉｆｉホットスポットの共有名がプリセットの標準フォーマットと合致するｗｉｆｉホットスポットの共有名であれば、前記ｗｉｆｉホットスポットの共有名から前記第１の移動端末のユーザ情報を取得するように設定される取得ユニット、を備える請求項６に記載の装置。
【請求項８】
前記移動端末記憶モジュールは、
得られた第１の移動端末のユーザ情報とローカル移動端末におけるすべてのユーザ情報とを比較するように設定される比較ユニット、
前記ローカル移動端末に前記第１の移動端末のユーザ情報がなければ、前記第１の移動端末のユーザ情報を前記ローカル移動端末のユーザ情報に保存するように設定される記憶ユニット、を備える請求項７に記載の装置。
【請求項９】
請求項６〜８のいずれか一項に記載の移動端末のユーザ情報交換の装置を備える移動端末。
【請求項１０】
ローカル移動端末の元のｗｉｆｉホットスポットの共有名を記憶するように設定される記憶ユニット、
前記ローカル移動端末のユーザ情報を、特殊文字＋ユーザ名＋特殊文字＋移動端末番号であるプリセットの標準フォーマットに応じて前記ローカル移動端末のｗｉｆｉホットスポットの共有名に設定するように設定される設定ユニット、
前記ローカル移動端末のｗｉｆｉホットスポット共有機能を起動するように設定される制御ユニット、を備える移動端末のユーザ情報交換の装置。
【請求項１１】
請求項１０に記載の移動端末のユーザ情報交換の装置を備える移動端末。
【発明の詳細な説明】
【技術分野】
【０００１】
本発明は無線通信分野に関し、特に移動端末のユーザ情報交換の方法及び装置に関する。
【背景技術】
【０００２】
関連する端末オペレーティングシステムにおいて、連絡先の追加はいずれも手動入力で行われるので、速度が遅くて入力エラーが発生しやすい問題がある。多くの人がパーティーをしている時、互いに相手の連絡先を追加する必要がある場合、１つのキーを押してｗｉｆｉを起動してホットスポットを有効にして済む。次にスキャン要求を開始し、ｗｉｆｉホットスポットの共有名を介して相手先の名称及び連絡先を自分の携帯電話に加え、このように連絡先の追加に利便性を提供し、多くの入力などの操作を省略する。
【発明の概要】
【発明が解決しようとする課題】
【０００３】
本発明の実施例は、ｗｉｆｉホットスポットを起動することにより、ｗｉｆｉホットスポットの名称に基づいて連絡先情報を追加する、移動端末のユーザ情報交換の方法、装置及び端末を提供することを目的とする。
【課題を解決するための手段】
【０００４】
本発明の実施例の一側面では、移動端末のユーザ情報交換の方法を提供しており、当該方法は、
第２の移動端末がワイヤレスフィデリティｗｉｆｉ検索により、第１の移動端末のｗｉｆｉホットスポットの共有名を得るステップと、
前記第２の移動端末が前記第１の移動端末のｗｉｆｉホットスポットの共有名を解析することにより、第１の移動端末のユーザ情報を得るステップと、
前記第１の移動端末のユーザ情報を保存するステップと、を含む。
【０００５】
好ましくは、前記第２の移動端末が前記第１の移動端末のｗｉｆｉホットスポットの共有名を解析することにより、第１の移動端末のユーザ情報を得るステップは、
前記第２の移動端末が前記第１の移動端末のｗｉｆｉホットスポットの共有名を解析することにより、解析したｗｉｆｉホットスポットの共有名がプリセットの標準フォーマットと合致するｗｉｆｉホットスポットの共有名であるかどうかを判断することと、
解析したｗｉｆｉホットスポットの共有名がプリセットの標準フォーマットと合致するｗｉｆｉホットスポットの共有名であれば、前記ｗｉｆｉホットスポットの共有名から前記第１の移動端末のユーザ情報を取得することと、を含む。
【０００６】
好ましくは、前記第１の移動端末のユーザ情報を保存するステップは、
前記第２の移動端末が得られた第１の移動端末のユーザ情報と前記第２の移動端末におけるすべてのユーザ情報とを比較することと、
前記第２の移動端末において前記第１の移動端末のユーザ情報がなければ、前記第１の移動端末のユーザ情報を前記第２の移動端末のユーザ情報に保存することと、を含む。
【０００７】
本発明の実施例の一側面では、移動端末のユーザ情報交換の方法を提供しており、当該方法は、情報を送信するための第１の移動端末がそのユーザ情報をそのｗｉｆｉホットスポットの共有名に設定し、そのｗｉｆｉホットスポット共有機能を起動することを含む。
【０００８】
好ましくは、前記情報を送信するための第１の移動端末がそのユーザ情報をそのｗｉｆｉホットスポットの共有名に設定するステップは、
前記情報を送信するための第１の移動端末がその元のｗｉｆｉホットスポットの共有名を保存し、且つユーザ情報をプリセットの標準フォーマットに応じてそのｗｉｆｉホットスポットの共有名に設定することを含み、
そのうち、前記プリセットの標準フォーマットは、特殊文字＋ユーザ名＋特殊文字＋移動端末番号である。
【０００９】
本発明の実施例の別の側面では、移動端末のユーザ情報交換の装置を提供しており、当該装置は、
第１の移動端末のユーザ情報を取得する第２の移動端末がｗｉｆｉ検索により、第１の移動端末のｗｉｆｉホットスポットの共有名を得るように設定される移動端末検索モジュール、
前記第２の移動端末が前記第１の移動端末のｗｉｆｉホットスポットの共有名を解析することにより、第１の移動端末のユーザ情報を得るように設定される移動端末解析モジュール、
前記第１の移動端末のユーザ情報を保存するように設定される移動端末記憶モジュール、を備える。
【００１０】
好ましくは、前記移動端末解析モジュールは、
前記第２の移動端末が前記第１の移動端末のｗｉｆｉホットスポットの共有名を解析することにより、解析したｗｉｆｉホットスポットの共有名がプリセットの標準フォーマットと合致するｗｉｆｉホットスポットの共有名であるかどうかを判断するように設定される判断ユニット、
解析したｗｉｆｉホットスポットの共有名がプリセットの標準フォーマットと合致するｗｉｆｉホットスポットの共有名であれば、前記ｗｉｆｉホットスポットの共有名から前記第１の移動端末のユーザ情報を取得するように設定される取得ユニット、を備える。
【００１１】
好ましくは、前記移動端末記憶モジュールは
得られた第１の移動端末のユーザ情報とローカル移動端末におけるすべてのユーザ情報とを比較するように設定される比較ユニット、
前記ローカル移動端末のユーザ情報において前記第１の移動端末のユーザ情報がなければ、前記第１の移動端末のユーザ情報を前記ローカル移動端末のユーザ情報に保存するように設定される記憶ユニット、を備える。
【００１２】
本発明の実施例の別の側面では、上記の移動端末のユーザ情報交換の装置を備える移動端末を提供する。
【００１３】
本発明の実施例の別の側面では、移動端末のユーザ情報交換の装置を提供しており、当該装置は、
ローカル移動端末の元のｗｉｆｉホットスポットの共有名を記憶するように設定される記憶ユニット、
前記ローカル移動端末のユーザ情報を、特殊文字＋ユーザ名＋特殊文字＋移動端末番号であるプリセットの標準フォーマットに応じて前記ローカル移動端末のｗｉｆｉホットスポットの共有名に設定するように設定される設定ユニット、
前記ローカル移動端末のｗｉｆｉホットスポット共有機能を起動するように設定される制御ユニット、を備える。
【００１４】
本発明の実施例の別の側面では、上記の移動端末のユーザ情報交換の装置を備える移動端末を提供する。
【発明の効果】
【００１５】
関連技術に比べて、本発明の有益な効果は、
本発明の実施例はｗｉｆｉホットスポットを起動することにより、ｗｉｆｉホットスポットの名称に基づいて連絡先情報を追加する操作を行い、ユーザが情報を入力するステップを省略し、ユーザに利便性をもたらし、時間を節約することである。
【図面の簡単な説明】
【００１６】
【図１】図１は、本発明の実施例に係る移動端末のユーザ情報交換の方法のフローチャートである。
【図２】図２は、本発明の実施例に係る移動端末のユーザ情報交換の装置(一)の模式図である。
【図３】図３は、本発明の実施例に係る移動端末のユーザ情報交換の装置(二)の模式図である。
【図４】図４は、本発明の実施例に係る移動端末のユーザ情報交換のフローチャートである。
【発明を実施するための形態】
【００１７】
以下、図面を参照しながら、本発明の好適的な実施例を詳しく説明する。ただし、以下に説明する好適な実施例は、本発明の実施例を説明して解釈するためのものに過ぎず、本発明の実施例を限定するものではないことを理解すべきである。
【００１８】
図１は、本発明の実施例に係る移動端末のユーザ情報交換の方法のフローチャートであり、図１に示すように、  
ステップＳ１０１：第１の移動端末のユーザ情報を取得するための第２の移動端末がｗｉｆｉ検索により、第１の移動端末のｗｉｆｉホットスポットの共有名を得るステップ、
ステップＳ１０２：前記第２の移動端末が前記第１の移動端末のｗｉｆｉホットスポットの共有名を解析することにより、第１の移動端末のユーザ情報を得るステップ、
ステップＳ１０３：前記第１の移動端末のユーザ情報を保存するステップ、
を含む。
【００１９】
本発明の実施例では、情報を送信するための第１の移動端末がそのユーザ情報をそのｗｉｆｉホットスポットの共有名に設定し、そのｗｉｆｉホットスポット共有機能を起動することを更に含む。
【００２０】
本発明の実施例では、前記情報を送信するための第１の移動端末がそのユーザ情報をそのｗｉｆｉホットスポットの共有名に設定するステップは、前記情報を送信するための第１の移動端末がその元のｗｉｆｉホットスポットの共有名を保存し、且つユーザ情報をプリセットの標準フォーマットに応じてそのｗｉｆｉホットスポットの共有名に設定することを含み、そのうち、前記プリセットの標準フォーマットは、特殊文字＋ユーザ名＋特殊文字＋移動端末番号である。
【００２１】
本発明の実施例では、前記第２の移動端末が前記第１の移動端末のｗｉｆｉホットスポットの共有名を解析することにより、第１の移動端末のユーザ情報を得るステップは、前記第２の移動端末が前記第１の移動端末のｗｉｆｉホットスポットの共有名を解析することにより、解析したｗｉｆｉホットスポットの共有名がプリセットの標準フォーマットと合致するｗｉｆｉホットスポットの共有名であるかどうかを判断することと、解析したｗｉｆｉホットスポットの共有名がプリセットの標準フォーマットと合致するｗｉｆｉホットスポットの共有名であれば、第１の移動端末のユーザ情報を得ることと、を含む。
【００２２】
そのうち、前記第１の移動端末のユーザ情報を保存するステップは、前記第２の移動端末が得られた第１の移動端末のユーザ情報と前記第２の移動端末におけるすべてのユーザ情報とを比較することと、前記第２の移動端末において前記第１の移動端末のユーザ情報がなければ、前記第１の移動端末のユーザ情報を前記第２の移動端末のユーザ情報に保存し、又は前記第２の移動端末のユーザ情報において前記第１の移動端末のユーザ情報のユーザ名があれば、ユーザ情報の移動端末番号が存在するかどうかを比較し、存在しなければ、前記第１の移動端末のユーザ情報の移動端末番号を前記第２の移動端末のユーザ情報に保存し、又は前記第１の移動端末のユーザ情報を更に追加して記憶するようにユーザに注意させることと、を含む。
【００２３】
そのうち、前記第１の移動端末及び前記第２の移動端末は無線アクセスポイントＡＰ（ＡＰ：Access Point）機能を持つ移動端末である。
【００２４】
図２は、本発明の実施例に係る移動端末のユーザ情報交換の装置(一)の模式図であり、図２に示すように、ｗｉｆｉ検索により、第１の移動端末のｗｉｆｉホットスポットの共有名を得るように設定される移動端末検索モジュール２０１と、前記第１の移動端末のｗｉｆｉホットスポットの共有名を解析することにより、第１の移動端末のユーザ情報を得るように設定される移動端末解析モジュール２０２と、前記第１の移動端末のユーザ情報を保存するように設定される移動端末記憶モジュール２０３と、を備える。
【００２５】
そのうち、前記移動端末解析モジュール２０２は、前記第１の移動端末のｗｉｆｉホットスポットの共有名を解析することにより、解析したｗｉｆｉホットスポットの共有名がプリセットの標準フォーマットと合致するｗｉｆｉホットスポットの共有名であるかどうかを判断するように設定される判断ユニットと、解析したｗｉｆｉホットスポットの共有名がプリセットの標準フォーマットと合致するｗｉｆｉホットスポットの共有名であれば、前記ｗｉｆｉホットスポットの共有名から前記第１の移動端末のユーザ情報を取得するように設定される取得ユニットと、を備える。
【００２６】
そのうち、前記移動端末記憶モジュール２０３は、前記第２の移動端末が得られた第１の移動端末のユーザ情報と前記第２の移動端末におけるすべてのユーザ情報とを比較するように設定される比較ユニットと、前記第２の移動端末のユーザ情報において前記第１の移動端末のユーザ情報がなければ、前記第１の移動端末のユーザ情報を前記第２の移動端末のユーザ情報に保存し、又は前記第２の移動端末のユーザ情報において前記第１の移動端末のユーザ情報のユーザ名があれば、ユーザ情報の移動端末番号が存在するかどうかを比較し、存在しなければ、前記第１の移動端末のユーザ情報の移動端末番号を前記第２の移動端末のユーザ情報に保存し、又は前記第１の移動端末のユーザ情報を更に追加して記憶するようにユーザに注意させるように設定される記憶ユニットと、を備える。
【００２７】
また、本発明の実施例は、上記の移動端末のユーザ情報交換の装置を備える端末を更に提供する。
【００２８】
図３は、本発明の実施例に係る移動端末のユーザ情報交換の装置(二)の模式図であり、図３に示すように、ローカル移動端末がユーザ情報をそのｗｉｆｉホットスポットの共有名に設定し、そのｗｉｆｉホットスポット共有機能を起動するように設定される移動端末情報共有モジュールを備える。
【００２９】
そのうち、前記移動端末情報共有モジュールは、前記ローカル移動端末の元のｗｉｆｉホットスポットの共有名を記憶するように設定される記憶ユニット３０１と、前記ローカル移動端末のユーザ情報を、特殊文字＋ユーザ名＋特殊文字＋移動端末番号であるプリセットの標準フォーマットに応じて前記ローカル移動端末のｗｉｆｉホットスポットの共有名に設定するように設定される設定ユニット３０２と、前記ローカル移動端末のｗｉｆｉホットスポット共有機能を起動するように設定される制御ユニット３０３と、を備える。
【００３０】
また、本発明の実施例は、上記の移動端末のユーザ情報交換の装置を備える端末を更に提供する。
【００３１】
図４は、本発明の実施例に係る移動端末のユーザ情報交換のフローチャートであり、図４に示すように、
ステップＳ４０１：システムがｗｉｆｉ装置を有効にした状態にあることを確保し、ｗｉｆｉ装置を無効にすると、ｗｉｆｉを起動し、回復するように状態を記録するステップ、
ステップＳ４０２：元のｗｉｆｉホットスポットの共有名を保存し、ｗｉｆｉホットスポットの共有名を、特殊文字＋ユーザ名＋特殊文字＋移動端末番号に変更するステップ、
ステップＳ４０３：システムがｗｉｆｉホットスポット共有を有効にした状態にあることを確保し、ｗｉｆｉホットスポット共有を無効にすると、回復するように有効にして状態を記録するステップ、
ステップＳ４０４：短い時間（例えば１０ｓ）を待ってｗｉｆｉ検索を行い始めるステップ、
ステップＳ４０５：命名規則と合致するｗｉｆｉ装置を検索すると、プリセット規則に従って該名称を解析し、ユーザ名＋移動端末番号を抽出し、連絡先において同名があるかどうかを検査し、同名がなければ、直接に連絡先モジュールにより連絡先を追加し、同名があれば、番号の有無を検査し、なければ、移動端末番号として追加し、あれば、何もしないステップ、
ステップＳ４０６：ユーザがｗｉｆｉ検索を行い続けるかどうかを判断し、そうであれば、ステップＳ４０４を繰り返し、そうではなければ、次の操作を行うステップ、
ステップＳ４０７：検索が終了し、還元操作を行うようにユーザに注意させるステップ、
を含む。
【００３２】
その還元操作は、ｗｉｆｉホットスポット名を回復することと、ｗｉｆｉホットスポット共有を無効にする（必要である場合）ことと、ｗｉｆｉを無効にする（必要である場合）ことと、を含む。
【００３３】
本発明の実施例では、ユーザ移動端末は名刺を交換する必要がある場合、プログラムが自動的に自分のｗｉｆｉホットスポットの共有名を「特殊文字＋ユーザ名＋特殊文字＋移動端末番号」に設定し、移動端末でのｗｉｆｉホットスポット共有を有効にする。短い時間を待って検索プロセスを開始する。命名標準と合致するｗｉｆｉ装置を検出した後、ユーザ名及び移動端末番号を解析してユーザとして追加する。全体の過程では、実際にｗｉｆｉを接続することなく、簡単なｗｉｆｉ検索を行って済む。さらに、該機能を無効にした後、ｗｉｆｉは起動前の状態に回復することができる。
【００３４】
上記のように、本発明の実施例はｗｉｆｉホットスポットを起動することにより、ｗｉｆｉホットスポットの共有名に基づいて相手先の名称及び連絡先を自分の携帯電話に加え、このように、人々に利便性を提供し、時間を節約する。
【００３５】
以上は本発明を詳細に説明したが、本発明はこれに限定されるものではなく、当業者は、本発明の原理に基づいて様々な修正を行うことができる。従って、本発明の原理に従って行った修正はいずれも本発明の保護範囲に属することを理解すべきである。
【産業上の利用可能性】
【００３６】
本発明の実施例はｗｉｆｉホットスポットを起動することにより、ｗｉｆｉホットスポットの名称に基づいて連絡先情報を追加する操作を行い、ユーザが情報を入力するステップを省略し、ユーザに利便性をもたらし、時間を節約する。
【図１】
2016519878.tif 000003
【図２】
2016519878.tif 000004
【図３】
2016519878.tif 000005
【図４】
2016519878.tif 000006
【国際調査報告】
2016519878.tif 000007
2016519878.tif 000008
2016519878.tif 000009
2016519878.tif 000010
2016519878.tif 000011
2016519878.tif 000012